(57)【特許請求の範囲】
【請求項１】
ユーザが閲覧するためのコンテンツの記事を表示するコンテンツ閲覧装置において、
前記ユーザが閲覧するための前記コンテンツの記事と、複数存在する前記記事の該コンテンツにおける位置を示す位置情報と、前記コンテンツの記事に対応する見出しを記憶する記憶手段と、
前記コンテンツに対応付けられた当該コンテンツの記事の見出しを表示する見出し表示手段と、
前記見出し表示手段により表示された前記見出しの選択を受け付ける見出し選択受付手段と、
前記見出し選択受付手段により受け付けたユーザによる前記見出し選択方法が第一の選択方法であるか第二の選択方法であるかを判別する判別手段と、
前記判別手段により前記ユーザによる前記見出しが、前記第一の方法で選択されたと判別された場合、前記見出し選択受付手段により選択を受け付けた前記見出しに紐付いて記憶されている前記コンテンツの記事の、前記コンテンツにおける位置情報を用いることにより、当該選択された見出しに紐付いて記憶されている記事を表示し、一方、前記判別手段により前記ユーザによる前記見出しが、前記第二の方法で選択されたと判別された場合、前記見出し選択受付手段により選択を受け付けた前記見出しに紐付いて記憶されている前記コンテンツの記事の、前記コンテンツにおける位置情報を用いることにより、前記コンテンツ閲覧装置の表示領域のサイズに最適な大きさで前記コンテンツのサイズの拡縮率を変更する拡縮変更手段と、
当該位置情報に基づき、前記コンテンツ閲覧装置の表示領域内に当該記事が表示されるように当該コンテンツの表示位置を変更する表示位置変更手段を備えることを特徴とするコンテンツ閲覧装置。
【請求項２】
前記コンテンツ閲覧装置の表示領域内で表示されている前記記事の選択を受け付ける記事選択受付手段と、
ユーザから前記コンテンツの閲覧のために、前記記事の選択を受け付けると、前記記憶手段に記憶された当該コンテンツにおける当該記事の前記位置情報を取得し、当該位置情報に基づき、前記コンテンツ閲覧装置の前記表示領域内に当該記事が表示されるように当該コンテンツの表示位置を変更する表示位置変更手段と
を更に備えることを特徴とする請求項１に記載のコンテンツ閲覧装置。
【請求項３】
前記見出し選択受付手段により前記見出しのうち複数の見出しの選択を受け付けた場合、当該見出しに紐付いて記憶されている前記コンテンツの記事の画面上の位置情報と前記記事のサイズの情報を用いることにより、前記コンテンツ閲覧装置の表示領域のサイズに適切な大きさで前記選択された複数の見出しに対応するコンテンツを同時に表示させるべく、当該コンテンツのサイズの拡縮率を変更する第二の拡縮変更手段と
を備えることを特徴とする請求項１または２に記載のコンテンツ閲覧装置。
【請求項４】
前記表示位置変更手段は、
前記コンテンツ閲覧装置の表示領域内に前記記事を表示するために、前記位置情報に基づき、当該記事が前記表示領域において、前記コンテンツのどの位置にどの記事があるのかを認識できるように画面を自動スクロールすること
を特徴とする請求項１乃至３のいずれか１項に記載のコンテンツ閲覧装置。
【請求項５】
前記コンテンツと前記位置情報とをエンコードしたエンコード情報を受信する受信手段と、
前記受信手段で受信されたエンコード情報をデコードして、前記コンテンツと前記位置情報とを得るデコード手段とをさらに備え、
前記表示位置変更手段は、前記デコード手段によりデコードされた前記コンテンツの位置情報に基づいて、前記コンテンツを表示すること
を特徴とする請求項１乃至４のいずれか１項に記載のコンテンツ閲覧装置。
【請求項６】
ユーザが閲覧するためのコンテンツの記事を表示するコンテンツ閲覧装置における制御方法であって、
前記コンテンツ閲覧装置の登録手段が、前記ユーザが閲覧するための前記コンテンツの記事と、複数存在する前記記事の該コンテンツにおける位置を示す位置情報と、前記コンテンツの記事に対応する見出しを記憶手段に登録する登録ステップと、
前記コンテンツ閲覧装置の見出し表示手段が、前記コンテンツに対応付けられた当該コンテンツの記事の見出しを表示する見出し表示ステップと、
前記コンテンツ閲覧装置の見出し選択受付手段が、前記見出し表示ステップにより表示された前記見出しの選択を受け付ける見出し選択受付ステップと、
前記コンテンツ閲覧装置の判別手段が、前記見出し選択受付ステップにより受け付けたユーザによる前記見出し選択方法が第一の選択方法であるか第二の選択方法であるかを判別する判別ステップと、
前記コンテンツ閲覧装置の拡縮変更手段が、前記判別ステップにより前記ユーザによる前記見出しが、前記第一の方法で選択されたと判別された場合、前記見出し選択受付ステップにより選択を受け付けた前記見出しに紐付いて記憶されている前記コンテンツの記事の、前記コンテンツにおける位置情報を用いることにより、当該選択された見出しに紐付いて記憶されている記事を表示し、一方、前記判別ステップにより前記ユーザによる前記見出しが、前記第二の方法で選択されたと判別された場合、前記見出し選択受付ステップにより選択を受け付けた前記見出しに紐付いて記憶されている前記コンテンツの記事の、前記コンテンツにおける位置情報を用いることにより、前記コンテンツ閲覧装置の表示領域のサイズに最適な大きさで前記コンテンツのサイズの拡縮率を変更する拡縮変更ステップと、
前記コンテンツ閲覧装置の表示位置変更手段が、当該位置情報に基づき、前記コンテンツ閲覧装置の表示領域内に当該記事が表示されるように当該コンテンツの表示位置を変更する表示位置変更ステップ
を含むことを特徴とするコンテンツ閲覧装置の制御方法。
【請求項７】
ユーザが閲覧するためのコンテンツの記事を表示するコンテンツ閲覧装置で実行される
プログラムであって、
前記コンテンツ閲覧装置を、
前記ユーザが閲覧するための前記コンテンツの記事と、複数存在する前記記事の該コンテンツにおける位置を示す位置情報と、前記コンテンツの記事に対応する見出しを記憶する記憶手段に登録する登録手段と、
前記コンテンツに対応付けられた当該コンテンツの記事の見出しを表示する見出し表示手段と、
前記見出し表示手段により表示された前記見出しの選択を受け付ける見出し選択受付手段と、
前記見出し選択受付手段により受け付けたユーザによる前記見出し選択方法が第一の選択方法であるか第二の選択方法であるかを判別する判別手段と、
前記判別手段により前記ユーザによる前記見出しが、前記第一の方法で選択されたと判別された場合、前記見出し選択受付手段により選択を受け付けた前記見出しに紐付いて記憶されている前記コンテンツの記事の、前記コンテンツにおける位置情報を用いることにより、当該選択された見出しに紐付いて記憶されている記事を表示し、一方、前記判別手段により前記ユーザによる前記見出しが、前記第二の方法で選択されたと判別された場合、前記見出し選択受付手段により選択を受け付けた前記見出しに紐付いて記憶されている前記コンテンツの記事の、前記コンテンツにおける位置情報を用いることにより、前記コンテンツ閲覧装置の表示領域のサイズに最適な大きさで前記コンテンツのサイズの拡縮率を変更する拡縮変更手段と、
当該位置情報に基づき、前記コンテンツ閲覧装置の表示領域内に当該記事が表示されるように当該コンテンツの表示位置を変更する表示位置変更手段
として機能させることを特徴とするプログラム。
【請求項８】
ユーザが閲覧するためのコンテンツの記事を表示するコンテンツ閲覧装置とコンテンツサーバとがネットワークを通じて接続されているコンテンツ閲覧システムであって、
前記コンテンツ閲覧装置は、
前記コンテンツサーバがエンコードしたデータを受信してデコードするデコード手段と、
前記ユーザが閲覧するための前記コンテンツの記事と、複数存在する前記記事の該コンテンツにおける位置を示す位置情報と、前記コンテンツの記事に対応する見出しを記憶する記憶手段と、
前記コンテンツに対応付けられた当該コンテンツの記事の見出しを表示する見出し表示手段と、
前記見出し表示手段により表示された前記見出しの選択を受け付ける見出し選択受付手段と、
前記見出し選択受付手段により受け付けたユーザによる前記見出し選択方法が第一の選択方法であるか第二の選択方法であるかを判別する判別手段と、
前記判別手段により前記ユーザによる前記見出しが、前記第一の方法で選択されたと判別された場合、前記見出し選択受付手段により選択を受け付けた前記見出しに紐付いて記憶されている前記コンテンツの記事の、前記コンテンツにおける位置情報を用いることにより、当該選択された見出しに紐付いて記憶されている記事を表示し、一方、前記判別手段により前記ユーザによる前記見出しが、前記第二の方法で選択されたと判別された場合、前記見出し選択受付手段により選択を受け付けた前記見出しに紐付いて記憶されている前記コンテンツの記事の、前記コンテンツにおける位置情報を用いることにより、前記コンテンツ閲覧装置の表示領域のサイズに最適な大きさで前記コンテンツのサイズの拡縮率を変更する拡縮変更手段と、
当該位置情報に基づき、前記コンテンツ閲覧装置の表示領域内に当該記事が表示されるように当該コンテンツの表示位置を変更する表示位置変更手段
を備え、
前記コンテンツサーバは、
前記コンテンツと当該コンテンツに記載されている記事の見出しと当該記事のコンテンツ中での位置情報とを紐付けて記憶することにより、前記コンテンツ閲覧装置で閲覧するための当該コンテンツをエンコードして、クライアントの前記コンテンツ閲覧装置に送信する送信手段と、
を備えることを特徴とするコンテンツ閲覧システム。
【請求項９】
ユーザが閲覧するためのコンテンツの記事を表示するコンテンツ閲覧装置とコンテンツサーバとネットワークを通じて接続されているコンテンツ閲覧システムの制御方法であって、
前記コンテンツ閲覧装置の登録手段が、前記ユーザが閲覧するための前記コンテンツの記事と、複数存在する前記記事の該コンテンツにおける位置を示す位置情報と、前記コンテンツの記事に対応する見出しを記憶手段に登録させる登録ステップと、
前記コンテンツ閲覧装置の見出し表示手段が、前記コンテンツに対応付けられた当該コンテンツの記事の見出しを表示する見出し表示ステップと、
前記コンテンツ閲覧装置の見出し選択受付手段が、前記見出し表示ステップにより表示された前記見出しの選択を受け付ける見出し選択受付ステップと、
前記コンテンツ閲覧装置の判別手段が、前記見出し選択受付ステップにより受け付けたユーザによる前記見出し選択方法が第一の選択方法であるか第二の選択方法であるかを判別する判別ステップと、
前記コンテンツ閲覧装置の拡縮変更手段が、前記判別ステップにより前記ユーザによる前記見出しが、前記第一の方法で選択されたと判別された場合、前記見出し選択受付ステップにより選択を受け付けた前記見出しに紐付いて記憶されている前記コンテンツの記事の、前記コンテンツにおける位置情報を用いることにより、当該選択された見出しに紐付いて記憶されている記事を表示し、一方、前記判別ステップにより前記ユーザによる前記見出しが、前記第二の方法で選択されたと判別された場合、前記見出し選択受付ステップにより選択を受け付けた前記見出しに紐付いて記憶されている前記コンテンツの記事の、前記コンテンツにおける位置情報を用いることにより、前記コンテンツ閲覧装置の表示領域のサイズに最適な大きさで前記コンテンツのサイズの拡縮率を変更する拡縮変更ステップと、
前記コンテンツ閲覧装置の表示位置変更手段が、当該位置情報に基づき、前記コンテンツ閲覧装置の表示領域内に当該記事が表示されるように当該コンテンツの表示位置を変更する表示位置変更ステップ
を含むことを特徴とするコンテンツ閲覧システムの制御方法。
【発明の詳細な説明】
【技術分野】
【０００１】
本発明は、携帯端末でコンテンツを閲覧する技術に関する。
【背景技術】
【０００２】
昨今、インターネットを通じての情報配信が一般的になってきており、従来は紙媒体で閲覧していた新聞、書籍、雑誌等の記事もＰＣや携帯端末からの閲覧することが可能である。
【０００３】
これらインターネットを通じてのコンテンツ提供は、あくまでも速報としての情報提供手段として認知されており、事件の経緯・概要・関連情報・記者の考察等の詳細情報は、事件発生からある程度の時間を経て新聞や雑誌の記事として情報提供されるのが一般的である。
【０００４】
これに対して紙媒体で提供される新聞は、ある事件について詳細な情報を得るのに最適な媒体として位置づけられ、記事の配置技術によって、重大な事件が一目で認識できるような配置方法をとっている。
【０００５】
紙媒体での新聞紙面とインターネットで閲覧される記事情報とで異なる情報配置がなされているために、閲覧者は新聞紙面と異なる情報配置を意識してサーバの記事情報を閲覧しなければならず、新聞紙面で長年培われてきた記事情報の配置技術はネットワーク配信においては活かされていないのが現状である。
【０００６】
新聞を紙媒体と同じレイアウトで閲覧することのメリットとして、「新聞」そのものであることの説得力を高めることができる。
【０００７】
また、新聞社で長年培われてきた記事情報の配置技術により、記事の一読性、一覧性をそのまま保つことができる。
【０００８】
上記の理由から、新聞やニュースを一行情報としてではなく、新聞を電子コンテンツ（以下、コンテンツ）として配信し、インターネット上で購読する技術も開示されており、新聞紙面の全体を画像情報としてサーバから閲覧可能とすることにより、ユーザに対して新聞紙面そのものの記事情報の配置形式で情報を提供するサービスもある。
【０００９】
特許文献１では、電子新聞システムにおいて、センター装置から送信された、記事見出しがユーザ端末に表示され、操作者はユーザ端末上で見たい記事見出しを選択することにより、センター装置から該当する記事のテキストデータ及び画像が送信され、ユーザ端末上でテキストデータの閲覧が可能になる仕組みが開示されている。
【００１０】
特許文献２では、サーバから端末装置に対して、見出し情報だけが新聞紙面上に配置された、いわゆるスケルトン新聞を配信することにより低速の公衆回線を通じてネットワークに接続しているユーザ端末にもストレスなく見出し情報を表示させることができる仕組みが開示されている。
【００１１】
特許文献３では、端末の利用者がある紙面イメージを画面表示させている状態において、その紙面イメージの中に配置されている任意の素材（記事、画像など）と関連素材（記事、画像、紙面など）の位置情報とを紐付けて記憶しておき、関連素材を選択すると、別ウィンドウで表示される仕組みが開示されている。
【先行技術文献】
【特許文献】
【００１２】
【特許文献１】特開平８−２９２９５７号公報
【特許文献２】特開２００２−２３６７０１号公報
【特許文献３】特開２００８−２８７６０６号公報
【発明の概要】
【発明が解決しようとする課題】
【００１３】
しかしながら、特許文献１で開示されている発明では、ユーザ端末側で見たい記事見出しを選択すると、その都度センター装置側から記事見出しに対応する記事のテキストデータと画像データが送信されてくる。そのため、ユーザ端末で表示される画面では、テキストデータと画像（具体的にはＨＴＭＬ形式）が表示されるだけで、新聞そのものの紙面イメージではないため、見ている記事がどの程度重要であるか、また紙面イメージでは本来どこに位置しているかをユーザは認識することができない。
【００１４】
また、特許文献２で開示されている発明は、据え置き型の端末を用いることを想定しており、すなわち、新聞紙面イメージの大部分を表示することが可能な表示領域を備えていることが前提となっている。そのため、小さな表示領域しかない携帯端末では、新聞紙面イメージの一部分しか表示できなくなるため、ユーザは新聞の紙面イメージ全体を把握することができず、却ってわかりづらくなるという問題がある。また、見たい記事を表示させるためには、紙面上の見出しを指定しなければならず、このような操作もまた、小さな表示しかない携帯端末では操作しづらいという問題もある。
【００１５】
また、特許文献３で開示されている発明は、関連素材（記事、画像、紙面など）を別ウインドウで表示することを想定しているため、小さな表示領域しかなく、かつ、ウインドウを一つしか表示することのできない携帯端末では、記事見出しと記事の紙面イメージを別ウインドウで表示させることができないという問題がある。また、記事見出しに対応する記事が別ウインドウで表示されるため、ユーザは新聞の紙面イメージ全体を把握することができず、却ってわかりづらくなるという問題がある。
【００１６】
また、スマートフォンと呼ばれる高性能な携帯端末において新聞の紙面イメージをそのまま表示するシステムが既知であるが、マウスやクイックホイールなどを有さない携帯端末では、目的の記事を探すためのスクロールや、記事の拡大・縮小操作が拡大して表示しようとすると、操作性の観点から閲覧が煩雑になり、紙面のどの位置にどのような記事が存在するのかが分かりにくくなる虞がある。
【００１７】
そこで、本発明の目的は、コンテンツの記事に紐づく見出しを選択することによって、その記事をコンテンツ閲覧装置の所定の領域の位置に移動させることにより、コンテンツ閲覧装置の表示領域において閲覧可能になるようにすることである。
【課題を解決するための手段】
【００１８】
本発明は、ユーザが閲覧するためのコンテンツの記事を表示するコンテンツ閲覧装置において、前記ユーザが閲覧するための前記コンテンツの記事と、複数存在する前記記事の該コンテンツにおける位置を示す位置情報と、前記コンテンツの記事に対応する見出しを記憶する記憶手段と、前記コンテンツに対応付けられた当該コンテンツの記事の見出しを表示する見出し表示手段と、前記見出し表示手段により表示された前記見出しの選択を受け付ける見出し選択受付手段と、前記見出し選択受付手段により受け付けたユーザによる前記見出し選択方法が第一の選択方法であるか第二の選択方法であるかを判別する判別手段と、前記判別手段により前記ユーザによる前記見出しが、前記第一の方法で選択されたと判別された場合、前記見出し選択受付手段により選択を受け付けた前記見出しに紐付いて記憶されている前記コンテンツの記事の、前記コンテンツにおける位置情報を用いることにより、当該選択された見出しに紐付いて記憶されている記事を表示し、一方、前記判別手段により前記ユーザによる前記見出しが、前記第二の方法で選択されたと判別された場合、前記見出し選択受付手段により選択を受け付けた前記見出しに紐付いて記憶されている前記コンテンツの記事の、前記コンテンツにおける位置情報を用いることにより、前記コンテンツ閲覧装置の表示領域のサイズに最適な大きさで前記コンテンツのサイズの拡縮率を変更する拡縮変更手段と、当該位置情報に基づき、前記コンテンツ閲覧装置の表示領域内に当該記事が表示されるように当該コンテンツの表示位置を変更する表示位置変更手段を備えることを特徴とする。
【発明の効果】
【００１９】
本発明によれば、電子新聞に代表されるコンテンツを可搬性の高い端末で閲覧する場合において、見出し一覧から閲覧を希望するコンテンツの記事の見出しを選択することによりコンテンツの紙面イメージそのものを所定の位置に表示すると同時に、簡便な操作で紙面イメージ上の記事へのアクセスを行い最適な大きさで表示するためのコンテンツ表示閲覧装置を提供することが可能になる。
【図面の簡単な説明】
【００２０】
【図１】本発明の全体構成の一例を示すシステム構成図である。
【図２】本発明における管理サーバ１０２のハードウェア構成の一例を示す図である。
【図３】本発明におけるコンテンツ表示閲覧システムの機能構成の一例を示す図である。
【図４】本発明におけるコンテンツ表示閲覧装置の表示方法を表すシーケンス図である。
【図５】本発明におけるコンテンツ表示閲覧装置で表示するコンテンツの生成（サーバ側）のフロー図である。
【図６】本発明におけるコンテンツの生成に用いる書誌情報のイメージである。
【図７】本発明におけるコンテンツの表示制御に用いる記事見出しテーブルのイメージである。
【図８】本発明におけるコンテンツの閲覧の為のフロー図である。
【図９】本発明におけるコンテンツ受信時のフロー図である。
【図１０】本発明におけるクライアント端末１０１で表示されるコンテンツイメージの一例である。
【図１１】本発明におけるクライアント端末１０１で表示されるコンテンツイメージの一例である。
【図１２】本発明におけるコンテンツの閲覧の為のフロー図である。
【図１３】本発明におけるクライアント端末１０１で表示されるコンテンツイメージの一例である。
【図１４】本発明におけるクライアント端末１０１で表示されるコンテンツイメージの一例である。
【図１５】本発明におけるクライアント端末１０１で表示されるコンテンツイメージの一例である。
【図１６】本発明におけるクライアント端末１０１で表示されるコンテンツイメージの一例である。
【発明を実施するための形態】
【００２１】
（第一の実施形態）
本発明の第一の実施形態を説明する。
図１は、本発明のコンテンツ表示閲覧システムの実施形態の一例を示すシステム構成図である。
【００２２】
図１では、新聞社に存在する組版サーバ（データベースサーバ）から、紙面イメージ、及び、書誌情報データが管理サーバ１０２に配信され、無線通信を介したクライアント端末１０１のコンテンツ取得要求に応じて、管理サーバ１０２から要求されたコンテンツが配信される構成となっている。
【００２３】
本発明では、組版サーバ（組版データベース）及び、ＤＢサーバ（データベース）は、コンテンツ提供者（本発明においては、新聞社とする）に既存するものを利用する。
【００２４】
図１において、クライアント端末１０１は、本発明におけるコンテンツの表示閲覧をするための装置であり、携帯電話に代表される可搬性のある端末を想定している。クライアント端末１０１から管理サーバ１０２に対してコンテンツの取得要求を行い、管理サーバ１０２に記憶管理されているコンテンツを取得してユーザが閲覧可能な状態にして表示する。
【００２５】
管理サーバ１０２は、コンテンツの配信者で備えているサーバであり、コンテンツ（例えば新聞）の組版機能、コンテンツ生成機能、配信機能を持ち合せている。なお、本発明において、管理サーバ１０２は、前述の３つの機能をまとめて持ち合せているが、構成はこの限りではなく、例えば、コンテンツ提供者（例えば新聞社）に組版サーバを設置し、別業者がコンテンツ生成サーバとコンテンツ配信サーバを備えているような構成にしてもよい。
【００２６】
データベース１０３は、クライアント端末１０１向けのコンテンツを生成するための紙面イメージおよび書誌事項を記憶管理している。
【００２７】
図２は、クライアント端末１０１のハードウェア構成図である。
【００２８】
図２に示すように、クライアント端末１０１は、中央演算処理装置（ＣＰＵ）２０１、ＲＯＭ２０２、ＲＡＭ２０３、システムバス２０４、入力コントローラ２０５、ビデオコントローラ２０６、メモリコントローラ２０７、通信Ｉ／Ｆコントローラ２０８がシステムバス２０４を介して接続されている。
【００２９】
入力コントローラ２０５には例えばキーボード（入力装置）２０９が、ビデオコントローラ２０６には例えばディスプレイ（ＣＲＴ）に代表される出力部２１０が、メモリコントローラ２０７にはハードディスク（以下、ＨＤ）２１１やＵＳＢインターフェース（不図示）を備える。
【００３０】
図２において、ＣＰＵ２０１は、システムバス２０４に接続される各デバイスを統括的に制御する。また、ＲＯＭ２０２あるいは外部メモリ２１１には、ＣＰＵ２０１の制御プログラムであるオペレーティングシステム（ＯＳ）や、各サーバあるいは各クライアントの後述する各種機能を実現するためのプログラムが記憶されている。
【００３１】
ＲＡＭ２０３は、ＣＰＵ２０１の主メモリ、ワークエリア、一時待避領域等として機能する。
【００３２】
入力コントローラ２０５は、入力部２０９からの入力を制御する。この入力部２０９としては、特に、サーバやクライアント等の端末では、キーボード、マウス等のポインティングデバイスが挙げられる。
【００３３】
ビデオコントローラ２０６は、出力部２１０の表示を制御する。この出力部２１０としては、例えば、ＣＲＴや液晶ディスプレイ等が挙げられる。
【００３４】
メモリコントローラ２０７は、ブートプログラム、各種のアプリケーション、フォントデータ、ユーザファイル、編集ファイル、プリンタドライバ等を記憶する外部メモリ２１１へのアクセスを制御する。加えて、メモリコントローラ２０７には、各サーバあるいは各クライアントの各種機能を実現するための各種テーブル、パラメータが記憶されている。
【００３５】
この外部メモリ２１１としては、ハードディスク（ＨＤ）やフロッピー（登録商標）ディスク（ＦＤ）、ＰＣＭＣＩＡカードスロットにアダプタを介して接続されるコンパクトフラッシュ（登録商標）、スマートメディア等が挙げられる。
通信Ｉ／Ｆコントローラ２０８は、ネットワーク１００を介して外部機器との通信制御処理を実行する。
【００３６】
なお、外部メモリ２１１には、本発明を実現するためのプログラム２１２が記録されており、必要に応じてＲＡＭ２０３にロードされることによりＣＰＵ２０１によって実行されるものである。
【００３７】
図３は、本発明におけるコンテンツ表示閲覧システムの機能構成の一例を示す図である。
【００３８】
クライアント端末１０１は、例えば、操作制御部１１１、取得要求送信部１１２、データ受信部１１３、表示制御部１１４およびコンテンツ格納部１１５から構成されている。
【００３９】
操作制御部１１１は、ユーザによるクライアント端末１０１のボタン操作およびタッチパネルを有するクライアント端末１０１のパネル操作を受け付け、操作の制御を行う。
【００４０】
取得要求送信部１１２は、管理サーバ１０２との通信を行い、クライアント端末１０１から管理サーバ１０２へのコンテンツデータの取得要求を行う。
【００４１】
データ受信部１１３は、管理サーバ１０２との通信を行い、管理サーバ１０２からクライアント端末１０１へ配信されるコンテンツデータの受信を行う。
【００４２】
表示制御部１１４は、管理サーバ１０２から受信したコンテンツデータのディスプレイ等への表示制御を行う。
【００４３】
コンテンツ格納部１１５は、管理サーバ１０２から受信したコンテンツのデータおよび記事見出しテーブルの記憶格納を行う。
【００４４】
管理サーバ１０２は、例えば、コンテンツ生成部１１６、取得要求受信部１１７、コンテンツ配信部１１８から構成されている。
【００４５】
コンテンツ生成部１１６は、クライアント端末１０１への配信用コンテンツの生成を行う。
【００４６】
取得要求受信部１１７は、クライアント端末１０１との通信を行い、クライアント端末１０１から管理サーバ１０２へのコンテンツデータの取得要求を受信する。
【００４７】
コンテンツ配信部１１８は、クライアント端末１０１との通信を行い、管理サーバ１０２からクライアント端末１０１へ配信するコンテンツデータの送信を行う。
【００４８】
なお、本発明では、管理サーバ１０２が、前記コンテンツ生成サーバおよびコンテンツ配信サーバとしての機能を併せ持っているサーバであることを想定しているが、この限りではなく、管理サーバ１０２とは別にコンテンツ生成サーバおよびコンテンツ配信サーバが設置されているシステムにおいては、夫々がコンテンツ生成部１１６、取得要求受信部１１７およびコンテンツ配信部１１８を備えることとする。
【００４９】
データベース１０３は、紙面イメージ格納部１２０、見出しテーブル格納部１２１から構成されている。
【００５０】
図４は、本発明におけるコンテンツ表示閲覧装置の表示方法を表すシーケンス図である。
【００５１】
提供者側で配信する新聞のイメージデータが確定（降版）したら、ステップＳ４０１において、コンテンツ生成サーバにおいて、クライアント端末１０１配信するするためのコンテンツを生成する。コンテンツの生成方法については、後述する図５のフローチャートにおいて詳細に説明する。
【００５２】
本明細書において、「コンテンツ」とは、クライアント端末１０１の紙面イメージ表示領域１００１で表示される「紙面イメージ」と、紙面イメージに記載される記事の記事見出しおよび記事の紙面イメージ上の位置情報および記事幅とサイズが対応付いて記憶されている「記事見出しテーブル」を総称する言葉とする。
【００５３】
ステップＳ４０２において、コンテンツの生成が完了したら、生成したコンテンツをコンテンツ配信部１１８で受け付ける。
【００５４】
ステップＳ４０３において、管理サーバ１０２は、コンテンツ配信部１１８で生成されたコンテンツを受け付け、クライアント端末１０１からのコンテンツデータ配信要求を待つ。（Ｓ４０４）
【００５５】
ステップＳ４０５において、クライアント端末１０１の取得要求送信部１１２は、ユーザの任意のタイミングで閲覧を希望するコンテンツの取得要求を管理サーバ１０２に送信する。
【００５６】
具体的には、ユーザが携帯端末からＷｅｂサービスを利用して、閲覧した新聞紙が配信可能になっている時に、閲覧（購読）を希望するコンテンツの配信要求をユーザによるボタン操作を受け付けて、コンテンツ配信者のサーバに配信要求を送信する。
【００５７】
ステップＳ４０６において、管理サーバ１０２の取得要求受信部１１７は、クライアント端末１０１から送信されたコンテンツの取得要求を受信する。
【００５８】
ステップＳ４０７において、管理サーバ１０２は、クライアント端末１０１から受け付けた取得要求対象のコンテンツを特定し、ステップＳ４０８において、管理サーバ１０２のコンテンツ配信部１１８は、ステップＳ４０４で取得要求を受信したコンテンツをデータベースから取得し、クライアント端末１０１へ配信する。
【００５９】
ステップＳ４０９において、クライアント端末１０１は、管理サーバ１０２から配信されるコンテンツを受信し、当該コンテンツをクライアント端末１０１で表示する為の処理を行う。（Ｓ４１０）
コンテンツの表示するための処理方法としては、後述の図９を用いて詳細に説明する。
【００６０】
以下、図５、図６、図７を用いて本発明におけるコンテンツデータの生成フローを説明する。
【００６１】
ステップＳ５０１において、管理サーバ１０２は、組版サーバないしＤＢサーバ部から、コンテンツのテキストデータ、紙面イメージ及び、コンテンツの座標上の位置情報を取得する。
ステップＳ５０２において、組版サーバないしＤＢサーバから、書誌情報を取得する。
【００６２】
図６は、ステップＳ５０２において、管理サーバ１０２がＤＢサーバ部から取得する書誌情報の一例を示す図である。
【００６３】
書誌情報６００は、対応する紙面イメージの基本情報を記述されている＜ヘッダ＞タグ
６０１、各ページに含まれる＜記事＞タグ６０３、各記事の、＜見出し＞タグ６０４、＜
袖見出し＞タグ６０５、＜テキスト＞タグ６０６、＜位置情報＞タグ６０７等から構成さ
れる。
【００６４】
＜ヘッダ＞タグ６０１には、例えば、日付情報、刊情報（新聞の場合、朝刊／夕刊を識別させる）が記述されている。
【００６５】
＜ページ＞タグ６０２には、紙面上の何ページ目かを示す情報が記述されている。各ページ毎に＜ページ＞〜＜／ページ＞で区切られており、＜／ページ＞タグは、該当するページの最後尾であることを示す（６１０）。
【００６６】
＜記事＞タグ６０３は、各ページに含まれる記事が記述されている。＜記事＞〜＜／記事＞を一つの記事として捉える。
＜見出し＞タグ６０４は、各ページに含まれる記事の見出しが記述されている。
【００６７】
例えば、「谷村  準優勝、五輪切符獲得」といった記事が、紙面の１ページに記載されている場合には、「＜見出し＞谷村  準優勝、五輪切符獲得＜／見出し＞」のように記述される。
＜袖見出し＞タグ６０５は、各ページに含まれる記事の袖見出しが記述されている。
【００６８】
＜記事＞タグ６０６は、各ページに含まれる記事のテキストが記述されている。例えば、「谷村  準優勝、五輪切符獲得」という記事であれば、それの記事内容が記述される。
【００６９】
＜位置情報＞タグ６０７は、各ページに含まれる記事の紙面上の位置情報が座標形式で記述されている。
例えば、＜段＞１＜／段＞の、＜座標＞１２３，４５＜／座標＞というような記載になる。
引き続き、図５のフローチャートの説明に戻る。
【００７０】
ステップＳ５０３において、管理サーバ１０２は、書誌情報６００の内容から、＜見出し＞タグ６０３を検出する。＜見出し＞タグ６０３は、書誌情報６００一つの中に、１つの場合もあれば複数存在する場合もある。管理サーバ１０２は、検出した＜見出し＞タグに記載されている記事見出しを図７に示す見出しテーブルに格納する。
【００７１】
次に、ステップＳ５０４において、Ｓ５０３で＜見出し＞タグ６０４を検出した書誌情報から＜位置情報＞タグ６０７を検出する。ここで検出する位置情報は、紙面の横軸をｘ、縦軸をｙとして見て、紙面の右上の位置を検出し、位置情報を記事見出しテーブル（図７）に格納する。
【００７２】
ここで、Ｓ５０３で検出した＜見出し＞タグ６０４の情報およびＳ５０４で検出した＜位置情報＞タグ６０７の情報を格納したテーブルを図７を用いて説明する。
図７は、紙面上の記事見出しテーブル７００の一例である。
【００７３】
見出し７０２は、先述のステップＳ５０３で検出した＜見出し＞タグ６０４内に記述されていた情報を示す。例えばステップＳ５０３で、「裁判員制度により裁判員が参加する初めての裁判開廷」という見出しを検出していた場合は、見出し７０１にも同内容の情報が格納される。
【００７４】
位置情報７０３は、先述のステップＳ５０４で検出した＜位置情報＞タグ６０７内に記
述されていた情報を示す。例えば該当する記事の右上頂点のｘ軸上の位置が「１２３」で
ｙ軸上の位置が「４５」であれば、（１２３，４５）という位置情報が位置情報７０３に
は格納される。
位置情報７０３は、書誌情報６００の＜ページ＞タグ６０１から検出して格納される情
報である。
【００７５】
管理サーバ１０２において、書誌情報６００から記事見出しテーブル７００を生成する。クライアント端末１０１では、記事見出しテーブル７００に基づいて、記事見出しの表示、及び、記事見出しがクリックされた場合の、対応する座標へのスクロールを行ってユーザに簡便な操作で記事を閲覧させるようにする。
【００７６】
引き続き図５のフローチャートの説明に戻る。
【００７７】
ステップＳ５０５において、各ページ内の全ての記事に対して、Ｓ５０３およびＳ５０４の処理を行ったか否かを判定する。具体的には、書誌情報６００の＜ページ＞タグの＜ページ＞〜＜／ページ＞内に存在する全ての＜記事＞タグ６０３について、Ｓ５０３、Ｓ５０４を繰り返す。全ての＜記事＞タグ６０３について見出し及び位置情報の検出を行っていない場合にはＳ５０３に戻って処理を繰り返し、全ての処理を終えていれば、ステップＳ５０６に進む。
【００７８】
ステップＳ５０６において、書誌情報６００の全ての＜ページ＞タグ６０１について、Ｓ５０３およびＳ５０４の処理を行ったか否かを判定する。具体的には、書誌情報６００の＜ページ＞タグの＜ページ＞〜＜／ページ＞で括られている（６１０）箇所の全ての＜記事＞タグ６０３について、Ｓ５０３、Ｓ５０４を繰り返す。全ての＜ページ＞タグ６０１について見出し及び位置情報の検出を行っていない場合にはＳ５０３に戻って処理を繰り返し、全ての処理を終えていれば、ステップＳ５０７に進む。
【００７９】
Ｓ５０７において、Ｓ５０１で取得した「紙面イメージ」と、Ｓ５０３〜Ｓ５０６で書誌情報６００より生成した「記事見出しテーブル」をエンコードしてコンテンツを生成（アーカイブ）する。
【００８０】
次に、図８のフローチャートを用いて、先述のステップＳ４０７で説明したコンテンツ受信時の表示、記事選択及び閲覧の一連の処理について説明する。
【００８１】
なお、本フローチャートは、ステップＳ４０５でクライアント端末１０１からコンテンツの取得要求があったことをトリガーとして開始する。
【００８２】
ステップＳ８０１において、クライアント端末１０１は、データの取得要求を行ったコンテンツの紙面イメージと記事見出しをクライアント端末１０１の紙面イメージ表示領域１００１および記事見出し表示領域１００２に表示させる。具体的な表示方法は、後述の図９のステップＳ９０１にて詳細に説明する。
【００８３】
ステップＳ８０２において、クライアント端末１０１は、ユーザの操作により、記事見出し表示領域１００２に表示された見出しの選択を受付たどうかを判定する。クライアント端末１０１の性能により、タッチパネルによる直接押下の方法をとってもよいし、クリックカーソルをクライアント端末１０１のディスプレイ中で移動させて選択する方法をとってもよいし、ボタン操作による選択の方法をとってもよい。選択受付の方法は本発明において特に限定されない。
【００８４】
記事見出し部分が選択されたと判定されない場合には、指定された別処理を実行する。（ステップＳ８０６）
【００８５】
記事見出し部分が選択されたと判定された場合、ステップＳ８０３において、クライアント端末１０１は、ディスプレイ上の選択（又は押下）された座標位置を特定する。
【００８６】
ステップＳ８０４において、クライアント端末１０１は、ステップＳ８０１で選択された座標位置に対応する記事見出しを特定する。
【００８７】
ステップＳ８０５において、クライアント端末１０１は、選択された記事見出しに対応
する記事の位置情報を特定する。特定方法は、クライアント端末１０１で記憶されている
図７の位置情報７０３から情報を取得する。
【００８８】
ステップＳ８０７において、Ｓ８０５で特定された位置情報の情報を用いることにより
、当該位置情報をクライアント端末１０１のディスプレイの右上に合わせるようにして
表示位置をスクロールさせる。
【００８９】
なお、スクロール方法としては、例えば、ディスプレイの横軸をＸ座標として、現在表
示されている位置情報から特定された座標位置にスクロールさせ、同じくディスプレイの
縦軸をＹ座標として、現在表示されている位置情報から特定された座標位置にスクロール
させる方法をとる。画面のスクロール方法は、既知の技術を用いることにより達成される
ものであるため、本発明においては限定しない。
【００９０】
ステップＳ８０１〜Ｓ８０７の処理によって、ユーザ操作により閲覧したい記事の見出しを選択することで、当該記事へのスムーズな自動スクロール処理が実現できる。
【００９１】
図９Ａは、先述のステップＳ８０１において、クライアント端末１０１が、管理サーバ１０２にコンテンツデータの取得要求を行った際のコンテンツ表示処理に関するフローチャートである。
ステップＳ９０１において、クライアント端末１０１は、コンテンツデータを受信する。
【００９２】
ステップＳ９０２において、クライアント端末１０１は、受信したコンテンツデータを、紙面イメージと、記事見出しテーブルにデコードする。
デコード処理については、図９Ｂのフローチャートを用いて説明する。
【００９３】
ステップＳ９０５において、クライアント端末１０１は、受信したコンテンツデータから、紙面イメージを分離して、クライアント端末１０１の所定の位置に格納する。紙面イメージとは、コンテンツ中で表示される画像データおよびテキストデータから構成されるものである。
【００９４】
ステップＳ９０６において、クライアント端末１０１は、記事見出しテーブル７００をコンテンツデータから分離して、クライアント端末１０１の所定の位置に格納する。
【００９５】
ステップＳ９０７において、クライアント端末１０１は、紙面イメージと、記事見出しテーブルをクライアント端末１０１の所定の位置に記憶格納する。
【００９６】
図９ＡのステップＳ９０３において、クライアント端末１０１は、Ｓ９０７で記憶格納された紙面イメージを紙面イメージ表示領域１００１に表示する。
【００９７】
ステップＳ９０４において、クライアント端末１０１は、記事見出しを図１０のクライ
アント端末１０１の記事見出し表示領域１００２に表示する。表示方法としては、Ｓ９０
３で表示したページと一致するページを図７の記事見出しテーブル７００に格納されてい
る位置情報７０３から検索し、該当するページの全ての見出し７０１を用いてコンテンツ
に対応する見出しを取得して表示する。
【００９８】
図１０は、クライアント端末１０１の画面に表示されるコンテンツの一例である。
【００９９】
紙面イメージ表示領域１００１は、クライアント端末１０１が受信したコンテンツの紙面イメージを表示する領域である。
【０１００】
見出し表示領域１００２は、クライアント端末１０１で表示中の紙面イメージに記載されている記事の一覧を表示する領域である。
【０１０１】
ユーザは見出し表示領域１００２に表示されている記事を選択（又はタッチ）することにより、所望の記事をスムーズに閲覧することができる。
【０１０２】
図１１は、クライアント端末１０１の画面で、記事見出し表示領域１００２をタッチした際の画面表示処理の一例を示す図である。
【０１０３】
図１１（ａ）のクリックカーソル１１０１で記事見出し１１０２の「谷村  準優勝、五輪切符獲得」をクリックする（タッチパネルであれば、タッチする）と、クライアント端末１０１は、記事見出しが選択されたことを検出する（Ｓ８０２）。クライアント端末１０１は、図７のコンテンツを受信した際に、図７の記事見出しテーブルを記憶格納しており（Ｓ９０７）、クリック（又はタッチ）された座標情報から選択された記事見出しを特定する。（Ｓ８０４）
【０１０４】
記事見出しを特定すると、図７の記事見出しテーブルから、クリック（又はタッチ）された記事見出しの位置情報を特定し（Ｓ８０５）。
所定の位置にクライアント端末１０１のＡＰＩを用いてスクロールさせる（Ｓ８０７）。
【０１０５】
なお、タッチパネルを有するクライアント端末１０１の画面で、見出し表示領域１００２以外の箇所（紙面イメージ表示領域１００１など）がクリックされた場合は、それぞれのクライアント端末１０１で定められている画面制御処理（拡大／縮小、スクロール等）を実行する。
【０１０６】
本発明のコンテンツ表示閲覧システムおよびコンテンツ表示閲覧装置を利用することにより、携帯端末でコンテンツの紙面イメージそのものを表示すると同時に、簡便な操作で紙面イメージ上の記事へのアクセスを行い最適な大きさで表示することで、購読者にとってより利便性の高い操作方法を提供することが可能になる。
【０１０７】
具体的には、コンテンツの紙面イメージと、コンテンツに記載されている記事の見出しと、紙面上の記事の位置情報を紐付けて記憶しておくことで、画面上で記事を選択した際に、所望の記事に画面をスクロールさせて表示することがかのうになるため、新聞記事を読みなれていない読者にとっても、一行情報から興味のある記事を閲覧することが可能になり、幅広い世代の読者にコンテンツを閲覧する機会を与えることが可能になる。
【０１０８】
（第二の実施形態）
【０１０９】
本発明の第一の実施形態で、ユーザにより見出しがクリックされた場合に、見出しに紐付いて記憶されている位置情報から、表示すべきコンテンツを特定して表示させる発明について説明したが、本発明の第二の実施形態として、ユーザによる見出しをクリックする方法により、コンテンツの表示方法が変化する形態を説明する。
なお、第一の実施形態と処理が同じとなる箇所についての説明は省略する。
【０１１０】
図１２は、本発明の第二の実施形態におけるコンテンツ受信時の表示、記事選択及び閲覧の一連の処理について説明する。
Ｓ１２０１およびＳ１２０２は、図８のＳ８０１およびＳ８０２と同様の処理を行う。
【０１１１】
ステップＳ１２０３において、クライアント端末１０１は、ユーザ操作を受け付けた際の記事の選択方法を判定する。判定方法としては、図１３で説明する、クライアント端末１０１で定められている操作に対する処理ルールを用いて判定を行い、その後の画面表示処理をする。
【０１１２】
図１３は、Ｓ１２０３でクライアント端末１０１がユーザ操作を判別する際の判別ルールの一例を示す図である。
本発明の第一の実施形態で説明した操作（クリック）は「１の選択方法」として定められている。
【０１１３】
本発明の第二の実施形態で説明する操作（ダブルクリックまたは２回タッチ）は「２の選択方法」として定められている。
【０１１４】
本発明の第四の実施形態で説明する操作（複数の見出しを同時クリック）は「３の選択方法」として定められている。
【０１１５】
１３０１は、クライアント端末１０１で受け付けるユーザ操作の一例を示している。
【０１１６】
１３０２はクライアント端末１０１のシステムとして予め定められている、ユーザ操作に対応する表示方法である。
【０１１７】
例えば、クリック（又はタッチ）操作を受け付けたと判別した場合は、第一の実施形態で説明したように、コンテンツの右上位置情報を特定して、紙面イメージ表示領域１００１をスクロールさせる。
【０１１８】
ダブルクリック（又は２回連続タッチ）操作を受け付けたと判別した場合は、コンテンツの紙面イメージ幅と高さを特定して、クライアント端末１０１のディスプレイで対象記事全体イメージを表示できるサイズに拡縮して表示させる。
【０１１９】
また、本発明においては、長いクリック（長押し）操作を受け付けたと判別した場合にも、コンテンツの紙面イメージ幅と高さを特定して、クライアント端末１０１のディスプレイで対象記事全体イメージを表示できるサイズに拡縮して表示させる処理を行う。
なお、図１３の処理ルールの一覧は本発明の第一の実施形態、第二の実施形態および第四の実施形態の説明で適用されるものであり、ユーザ操作とそれに対応する処理ルールの関係はこれに限定されない。
【０１２０】
上記２つの例のように、クライアント端末１０１では、ユーザ操作に対応するコンテンツの表示ルールを予め定めておくものとする。
【０１２１】
以降の処理は、ステップＳ１２０３においてユーザ操作がダブルクリックと判別された場合を想定して説明する。
ステップＳ１２０４及びＳ１２０５は、Ｓ８０３およびＳ８０４と同様の処理を行う
【０１２２】
ステップＳ１２０６において、クライアント端末１０１は、選択された見出しに対応する記事幅と高さを図７の記事見出しテーブルの７０４から特定する。
ステップＳ１２０７において、クライアント端末１０１は、紙面イメージ表示領域１００１のサイズに合わせて、選択された見出しに対応するコンテンツの紙面イメージを表示する。この際に、Ｓ１２０６で特定した紙面イメージの幅と高さの情報を用いて、紙面イメージ表示領域１００１に紙面イメージの全体が表示されるように拡縮率の変更を行う。
【０１２３】
ステップＳ１２０８は、Ｓ８０７と同様の処理を行う。
【０１２４】
変更処理が終わると、紙面イメージ表示領域１００１に拡縮変更後の紙面イメージが表示されることとなる。
【０１２５】
図１４は、図１２で説明した拡縮率変更後の紙面が表示される画面制御の一例である。
【０１２６】
１４０１のクリックカーソルで、１４０２の「谷村  準優勝、五輪切符獲得」の記事をダブルクリックしたとＳ１２０３で判別されると、Ｓ１２０６では、該当するコンテンツの紙面イメージの全体が表示されるように拡縮率が変更されて表示されることとなる。
【０１２７】
以上、本発明の第二の実施形態によれば、携帯端末でコンテンツの紙面イメージそのものを表示すると同時に、簡便な操作で紙面イメージ上の記事へのアクセスを行い最適な大きさで表示することで、購読者にとってより利便性の高い操作方法を提供することが可能になる。
（第三の実施形態）
【０１２８】
本発明の第一の実施形態および第二の実施形態では、ユーザにより見出しがクリックされた場合に、見出しに該当するコンテンツを特定して表示させる発明について説明したが、本発明の第三の実施形態として、ユーザにより、コンテンツ閲覧中にクライアント端末１０１の紙面イメージ表示領域１００１でユーザ操作を受け付けた場合のコンテンツの表示方法について説明する。
【０１２９】
図１５は、クライアント端末１０１の画面で、コンテンツ閲覧中に紙面イメージ表示領域１００１をタッチした際の画面表示処理の一例を示す図である。
【０１３０】
図１５の（ａ）のような画面状態において、［特集最前線］「荒れる学校・・・」の記事が、半分表示されているとする。
【０１３１】
この状態で、１５０１のクリックカーソルで当該記事の部分を選択すると、選択された紙面イメージの位置情報から該当記事を特定して、記事を表示させる。
【０１３２】
図１５の（ｂ）は、紙面イメージ表示領域１００１をクリックした後の画面例であり、［特集最前線］「荒れる学校いまも・・・」の紙面イメージが表示され、表示中の記事見出しが識別できるように表示されている（１５０２）。
【０１３３】
以上、本発明の第三の実施形態によれば、携帯端末で、コンテンツの紙面イメージの同ページ内の記事をクリックしたら、該当する記事にスクロールすることにより、購読者にとってより利便性の高い操作方法を提供することが可能になる。
（第四の実施形態）
【０１３４】
本発明の第一の実施形態および第二の実施形態では、ユーザにより見出しがクリックされた場合に、見出しに該当するコンテンツを特定して表示させる発明について説明したが、本発明の第四の実施形態として、ユーザにより見出しが複数同時にクリックされた場合（図１３のルールのＣに相当）の、クライアント端末１０１の紙面イメージ表示領域１００１の表示方法について説明する。
【０１３５】
図１６は、本発明の第四の実施形態の、クライアント端末１０１の画面で、見出し表示領域１００２に記載の見出しを複数クリック（又はタッチ）した際の画面表示処理の一例を示す図である。
【０１３６】
図１６の（ａ）の画面では、「ＸＸ学園  悲願の初優勝」の記事が、紙面イメージ表示領域１００１の大部分を占めている。
【０１３７】
この場合に、図１２のステップＳ１２０３において記事見出し表示領域１００２の見出しを二つ（例えば、「谷村  準優勝・・・」と「［最前線］荒れる学校・・・」）選択したことが判定される。（図１３の３の選択方法）
この場合、図１２のフローチャートのＳ１２０３で２の選択方法と記載されている部分を「３の選択方法」と想定して、以後の処理を説明する。
【０１３８】
ステップＳ１２０５において、選択された二つの見出しに対応する紙面イメージの位置情報７０３を図７の記事見出しテーブルから特定する。
【０１３９】
ステップＳ１２０６において、クライアント端末１０１は、選択された見出しに対応する記事幅と高さ７０４を図７の記事見出しテーブルから特定する。
【０１４０】
ステップＳ１２０７において、クライアント端末１０１は、紙面イメージ表示領域１００１のサイズに合わせて、選択された複数の見出しに対応するコンテンツの紙面イメージを表示する。この際に、Ｓ１２０６で特定した紙面イメージの幅と高さの情報を用いて、紙面イメージ表示領域１００１に紙面イメージの全体が表示されるように拡縮率の変更を行う。
【０１４１】
この場合の拡縮率の算出方法としては、例えば、画面の左下頂点を座標の０の値として
、選択された二つの見出しに対応する紙面イメージの位置情報のうち、一番右のＸの値と
、一番上のＹの値を求めることにより、二つの紙面イメージを同時に表示可能な拡縮率を
算出する方法がある。
【０１４２】
ステップＳ１２０８は、Ｓ８０７と同様の処理を行う。
【０１４３】
なお、本発明の第四の実施形態においては、画面の右上頂点を座標の０の値として、求めるｘ座標とｙ座標を算出しているが、例えば、画面の右上頂点を０の値として算出することも可能である。その場合は、一番左のｘ座標と一番下のｙ座標を求めることにより、二つの紙面イメージを同時に表示可能な拡縮率を算出することが可能になる。
【０１４４】
但し、算出方法は、既知の算出方法を用いることにより表示尺を決定すればよく、本発明において特に限定はしない。
【０１４５】
以上の処理によると図１６の（ｂ）で表示されているように、コンテンツ中の二つの記事が同画面内に表示されるように拡縮率が変更されて表示されている。なお、表示中の記事に対応する見出しは１６０３のように識別して表示される様な構成にしてもよい。
【０１４６】
本発明の第四の実施形態によれば、複数同時に記事の表示指定がされた場合でも、最適な大きさで当該選択された複数の見出しに対応する記事の紙面イメージを表示させることが可能になる。
【０１４７】
以上、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１４８】
前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。この場合、記録媒体から読み出されたプログラム自体が本発明の新規な機能を実現することになり、そのプログラムを記憶した記録媒体は本発明を構成することになる。
【０１４９】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１５０】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５２】
本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１５３】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１５４】
１００  ネットワーク
１０１  クライアント端末
１０２  管理サーバ
１０３  データベース
１１１  操作制御部
１１２  取得要求送信部
１１３  コンテンツ受信部
１１４  表示制御部
１１５  コンテンツ格納部
１１６  コンテンツ生成部
１１７  取得要求受信部
１１８  コンテンツ配信部
１２０  紙面イメージ格納部
１２１  見出しテーブル格納部
１２２  コンテンツ格納部
６００  書誌情報
７００  記事見出しテーブル
１０００  紙面イメージ
１００１  紙面イメージ表示領域
１００２  記事見出し表示領域
１１０１  クリックカーソル
１１０２  選択された見出し
１１０３  記事表示中の見出し
【図１】
0005552771.tif 000002
【図２】
0005552771.tif 000003
【図３】
0005552771.tif 000004
【図４】
0005552771.tif 000005
【図５】
0005552771.tif 000006
【図６】
0005552771.tif 000007
【図７】
0005552771.tif 000008
【図８】
0005552771.tif 000009
【図９】
0005552771.tif 000010
【図１０】
0005552771.tif 000011
【図１１】
0005552771.tif 000012
【図１２】
0005552771.tif 000013
【図１３】
0005552771.tif 000014
【図１４】
0005552771.tif 000015
【図１５】
0005552771.tif 000016
【図１６】
0005552771.tif 000017